(57)【特許請求の範囲】
【請求項１】
制御回路装置と、該制御回路装置が収納されたメインケースと、表示素子と、該表示素子を収納したサブケースと、両端部において前記制御回路装置と前記表示素子とに接続され、前記制御回路装置と前記表示素子とを電気的に接続する接続線とを備え、前記メインケースと前記サブケースとを相互に回転可能に結合した情報処理装置において、
前記メインケースは、メインケース本体部と、該メインケース本体部の一側部から突出して形成されたメインケース突出部とを備え、
前記サブケースは、サブケース本体部と、該サブケース本体部の一側部から突出して形成されたサブケース突出部とを備え、
前記メインケース本体部の内部には、前記制御回路装置を収納する制御回路収納部が形成され、
前記メインケース突出部の内部には、前記制御回路収納部に連通したメインケース側接続線収納部が形成され、
前記サブケース本体部の内部には、前記表示素子を収納する表示素子収納部が形成され、
前記サブケース突出部の内部には、前記表示素子収納部に連通したサブケース側接続線収納部が形成され、
前記メインケースは、メインケース本体部上部とメインケース突出部上部とを備えたメインケース上部と、メインケース本体部下部とメインケース突出部下部とを備えたメインケース下部とからなり、前記メインケース上部と前記メインケース下部とが組み合わされて前記制御回路収納部と前記メインケース側接続線収納部とが画成され、
前記サブケースは、サブケース本体部上部とサブケース突出部上部とを備えたサブケース上部と、サブケース本体部下部とサブケース突出部下部とを備えたサブケース下部とからなり、前記サブケース上部と前記サブケース下部とが組み合わされて前記表示素子収納部と前記サブケース側接続線収納部とが画成され、
前記メインケース突出部と前記サブケース突出部とにそれぞれ、相互に回転可能に組み合わされるメインケース側結合部とサブケース側結合部が形成され、
前記メインケース側結合部と前記サブケース側結合部のいずれか一方には、先端が開口した貫通孔を備えた軸が形成され、他方には前記軸が回転可能に嵌入される軸受孔が形成され、前記軸と前記軸受孔とが嵌合することにより前記メインケースと前記サブケースとは互いに対して回転可能に結合され、
前記軸と前記軸受孔とは、それぞれ上部と下部に分割され、それぞれ対応するケースのケース上部とケース下部とに一体に形成され、
前記軸の貫通孔と前記軸受孔は、前記メインケース側接続線収納部とサブケース側接続線収納部のうちの、それぞれ対応する側の接続線収納部に連通し、
前記接続線は、前記軸の貫通孔と前記軸受孔を通って前記メインケース側接続線収納部とサブケース側接続線収納部内へ延びており、前記制御回路装置収納部、メインケース側接続線収納部、サブケース側接続線収納部、表示素子収納部を通って配線されていることを特徴とする、情報処理装置。
【請求項２】
請求項1記載の情報処理装置において、前記メインケース突出部と前記サブケース突出部の、いずれか一方は距離を隔てて2個形成され、他方は前記２個の突出部の間に位置するように1個形成され、前記2個形成された突出部には、互いに向き合う内側側部にそれぞれ前記軸或いは軸受孔が形成され、前記１個の突出部には、前記2個の突出部の前記内側側部にそれぞれ対向する両側面に、前記軸受孔或いは軸が形成されていることを特徴とする、情報処理装置。
【請求項３】
請求項2記載の情報処理装置において、前記2個形成された突出部の前記互いに向き合う内側側部と反対側の外側側部にはそれぞれ、さらに第3のケースを回転可能に支承するための軸或いは軸受孔が形成されていることを特徴とする、情報処理装置。
【請求項４】
請求項1記載の情報処理装置において、前記表示素子が、液晶表示素子であることを特徴とする、情報処理装置。
【発明の詳細な説明】
【０００１】
【産業上の利用分野】
本発明は情報処理装置に関し、さらに詳細には、表示装置を収納したサブケースが制御回路装置を収納したメインケースに対して回転可能に構成され、表示装置と制御回路装置との間を電気的に接続する接続線あるいはケーブルを備えた情報処理装置に関する。
【０００２】
【従来の技術】
表示装置を収納したサブケースが、制御回路装置を収納したメインケースに対して回転可能に取り付けられ、表示装置と制御回路装置との間を電気的に接続する接続線あるいはケーブルを備えた情報処理装置として、例えば特公平５−３６８１２がある。この装置においては、表示体ケースにパイプ状の中空リングをその一部が突出するように挟み込み、この中空部分に細長状のフレキシブル基板で構成したケーブルが貫通され、一端は表示体ケース内の基板に接続され、他端は本体ケース側のメイン基板に固定されたコネクターに接続される。本体ケース側には軸受けが固定され、中空リングの表示体ケースから突出した部分がこの軸受けの孔に嵌入するようになっている。この構成では、組み立てに際してケーブルを中空リングや軸受けの中を通してやる必要があり、ケーブルの両端を回路基板やコネクターに接続した状態のままでは組み立てが不可能であり、組み立て作業性が悪い。
【０００３】
【発明が解決しようとする課題】
本発明は上記従来の問題点に鑑みなされたものであり、接続線を二つのケース内に別個に収納される表示素子と制御回路装置とに接続した状態でケース内への組み込み、及びケースの組み立てを行うことができる構成を備えた情報処理装置を提供することをその目的とする。
【０００４】
【課題を解決するための手段】
上記課題を解決するために、本発明に係る情報処理装置においては、メインケースは、メインケース本体部上部とメインケース突出部上部とを備えたメインケース上部と、メインケース本体部下部とメインケース突出部下部とを備えたメインケース下部とで構成し、サブケースは、サブケース本体部上部とサブケース突出部上部とを備えたサブケース上部と、サブケース本体部下部とサブケース突出部下部とを備えたサブケース下部とで構成し、メインケース上部とメインケース下部とを組み合わせることにより、制御回路装置を収納する制御回路収納部を内部に備えたメインケース本体部と、制御回路収納部に連通したメインケース側接続線収納部を内部に備えたメインケース突出部とを形成し、サブケース上部とサブケース下部とを組み合わせて、表示素子を収納する表示素子収納部が内部に形成されたサブケース本体部と、表示素子収納部に連通したサブケース側接続線収納部が内部に形成されたサブケース突出部とを形成している。そしてさらに、メインケース突出部とサブケース突出部とにそれぞれ、相互に回転可能に組み合わされるメインケース側結合部とサブケース側結合部が形成されている。
【０００５】
メインケース側結合部とサブケース側結合部のいずれか一方には、先端が開口した貫通孔を備えた軸が形成され、他方にはその軸が回転可能に嵌入される軸受孔が形成され、これら軸と軸受孔とが嵌合することによりメインケースとサブケースとは互いに対して回転可能に結合される。そして、その軸の貫通孔と軸受孔とは、メインケース側接続線収納部とサブケース側接続線収納部のうちの、それぞれ対応する側の接続線収納部に連通し、制御回路装置と表示素子とに結合される接続線は、その軸の貫通孔と軸受孔を通ってメインケース側接続線収納部とサブケース側接続線収納部内へ延びており、制御回路装置収納部、メインケース側接続線収納部、サブケース側接続線収納部、表示素子収納部を通って配線されている。その軸と軸受孔とは、それぞれ上部と下部に分割され、それぞれ対応するケースのケース上部とケース下部とに一体に形成されている。
【０００６】
【発明の実施の形態】
以下、図面に基づき本願発明の具体的実施の形態を説明するが、本願発明の範囲は以下に説明される実施の形態に限定されるものではない。
【０００７】
図１は、本願発明の実施の形態に係る情報処理装置１の斜視図であり、情報処理装置１は、内部に制御回路装置５（図２、３参照）を収納したメインケース３と、本実施の形態では液晶表示素子である表示素子９（図４、５参照）を内部に収納したサブケース７を備えている。メインケース３にはキーボード１１、サブケース７には表示部１３がそれぞれ設けられている。また、メインケース３はメインケース上部１５メインケース下部１７の２部材、サブケース７はサブケース上部１９とサブケース下部２１の２部材で構成されている。
【０００８】
図２及び図３はメインケース３を示す図であり、図２の（イ）は平面図、（ロ）は右側面図である。図３の（イ）、（ロ）、（ハ）はそれぞれ図２（イ）のＡ−Ａ線、Ｂ−Ｂ線、Ｃ−Ｃ線による断面図である。なお、メインケース３内に収納される制御回路装置５は、２点鎖線で示し、キーボード１１の図示は省略してある。
【０００９】
前述のとおりメインケース３は、図中ＰＬ−ＰＬで示すパーティングラインで上下に分割されたメインケース上部１５とメインケース下部１７とを組み合わせて構成され、メインケース本体部２３と、該メインケース本体部２３から突出した二つのメインケース突出部２５とを備えている。
【００１０】
メインケース本体部２３は、平面形状が略方形の筐体として構成されており、それぞれこの筐体の上側の殻と下側の殻を形成する、メインケース上部１５の一部であるメインケース本体部上部２７と、メインケース下部１７の一部であるメインケース本体部下部２９とが組合わされることにより、内部に制御回路装置５を収納するための本体内スペースすなわち制御回路装置収納部３１を画成している。
【００１１】
メインケース突出部２５は、本体部２３の一つの縁部、具体的には後述のサブケース７との連結側となる連結側縁部２４において、所定の間隔を隔てて２つ形成されている。突出部２５の外形形状は、図２（イ）に示されるように、メインケース本体部２３の連結側縁部２４に沿って所定の長さだけ伸び、その側面から見た形状は、図２（ロ）に示されるように、下部が方形で上部が半円形状となっている。この突出部２５も、それぞれその上下の殻を構成する、メインケース上部１５の一部であるメインケース突出部上部３３と、メインケース下部１７の一部であるメインケース突出部下部３５とが組合わされることにより、内部に後述のケーブル或いは接続線の一部分が収受される突出部内スペース、すなわちメインケース側接続線収納部３９を画成している。
【００１２】
メインケース本体部上部２７と下部２９の、連結側縁部２４の壁２７ａ、２９ａには、突出部２５に対応した位置で切り欠き２７ｂ、２９ｂが形成され、これらが開口４１を画成して、本体内スペース３１と突出部内スペース３９とがこの開口４１を介して連通している。また、２つの突出部２５の互いに向き合う内側側壁壁２５ａには、同軸上に後述のサブケース側の軸を受け入れるための有底の軸受け孔４３が形成され、さらにその底部４５に、内部の突出部内スペース３７に通じる貫通孔４７が形成されている。従って、本体内スペース３１は、開口４１、突出部内スペース３７、貫通孔４７を介してそして軸受け孔４３へと通じており、図中二点鎖線で示してあるように、一端において制御回路装置５に接続された接続線或いはケーブル１０は、本体内スペース３１から、開口４１、突出部内スペース３７、貫通孔４７を通って軸受け孔４３へと伸長できる。
【００１３】
図４及び５はサブケース７を示す図で、図４（イ）は平面図、（ロ）は側面図であり、図５（イ）、（ロ）は図（４）（イ）でのＤ−Ｄ線、Ｅ−Ｅ線での断面図である。前述のとおりサブケース７は、図中ＰＬ−ＰＬで示すパーティングラインで上下に分割されたサブケース上部１９とサブケース下部２１とを組み合わせて構成され、サブケース本体部５１と、該サブケース本体部５１から突出したサブケース突出部５３とを備えている。なお、ここではメインケース３とサブケース７とを図１の如く広げた状態で上側となる側、即ち閉じた場合にメインケース上部１５に直接重なる側をサブケース上部１９としている。
【００１４】
サブケース本体部５１は、平面形状が略方形の筐体として構成されており、それぞれこの筐体の上側の殻と下側の殻を形成する、サブケース上部１９の一部であるサブケース本体部上部５５と、サブケース下部２１の一部であるサブケース本体部下部５７とが組合わされることにより、内部に液晶表示素子９を収納するための本体内スペースすなわち表示素子収納部５９を画成している。
【００１５】
サブケース突出部５３は、本体部５１の一つの縁部、具体的には前述のメインケース３との連結側となる連結側縁部５２から突出して形成されている。サブケース突出部５３は、メインケース３とサブケース７とが連結される際に、メインケース３の二つの突出部２５の間に位置するようになっている。突出部５３の外形形状は、図４（イ）に示されるように、サブケース本体部５１の連結側縁部５２に沿って伸び、その長さはメインケース３の二つの突出部２５の間に寸法に対応している。この突出部５２も、それぞれその上下の殻を構成する、サブケース上部１９の一部であるサブケース突出部上部６１と、サブケース下部２１の一部であるサブケース突出部下部６３とが組合わされることにより、内部に後述の接続線１０の一部分が収受される突出部内スペース、すなわちサブケース側接続線収納部６５を画成している。
【００１６】
サブケース本体部上部５５と下部５７の、連結側縁部５２の壁５５ａ、５７ａには、突出部５３に対応した位置で切り欠き５５ｂ、５７ｂが形成され、これらが開口６７を画成して、本体内スペース５９と突出部内スペース６５とがこの開口６７を介して連通している。また、突出部５３の連結側縁部５２に両側壁５３ａ上に、同軸上に互いに遠去かる方向に、前述のメインケース３側の軸受け孔４３に嵌まる軸６９が形成されている。そして、この軸６９には、この軸６９を貫通して突出部内スペース６５に連通する貫通孔７１が形成されている。従って、本体内スペース５９は、開口６７、突出部内スペース６５を介して貫通孔７１通じており、図中二点鎖線で示してあるように、一端において液晶表示素子９に接続された接続線１０は、本体内スペース５９から開口６７、突出部内スペース３７、貫通孔７１を通って伸長できる。
【００１７】
以上の説明から明らかなとおり、メインケース３とサブケース７とを、軸６９を軸受け孔４３に嵌めて結合した場合、接続線１０は、メインケース３側に画成されたメインケース本体部内スペース即ち制御回路装置収納部３１から、メインケース突出部内スペース即ちメインケース側接続線収納部３７を通って軸受け孔４７及び該軸受け孔４７に嵌まった軸６９の貫通孔７１内へ入り、さらにサブケース７側のサブケース突出部内スペース即ちサブケース側接続線収納部６５を通ってサブケース本体部内スペース即ち表示素子収納部５９内へと伸長することが出来る。そして、これら制御回路装置収納部３１、メインケース側接続線収納部３７、軸受け孔４７、軸６９の貫通孔７１、サブケース側接続線収納部６５、表示素子収納部５９は、全て上下に分割されており、メインケース上部１５と下部１７及びサブケース上部１９と下部２１をそれぞれ組み合わせることにより画成される。
【００１８】
従ってこの情報機器１の組み立ては、例えば以下のように行うことが出来る。即ち、メインケース下部１７とサブケース下部２１とを、図６に示すように軸６９の下側半部６９ａを軸受け孔４３の下側半部４３ａに嵌めて仮結合し、接続線１０の両端に接続された制御回路装置５と液晶表示素子９とをそれぞれメインケース下部１７とサブケース下部２１に固定し、接続線１０を制御回路装置収納部３１の下側半部３１ａ、メインケース側接続線収納部３７の下側半部３７ａ、軸受け孔４３の下側半部４３ａに嵌まった軸６９の下側半部６９ａに形成された貫通孔７１の下側半部７１ａ、サブケース側接続線収納部６５の下側半部６５ａ、表示素子収納部５９の下側半部５９ａ内を通るように配置する。そしてサブケース上部１９をサブケース下部１７に組み合わせ、その後メインケース上部１５をメインケース下部１７に組み合わせ、それぞれネジ等適宜手段で結合する。
【００１９】
なお、図２（イ）において、二つの突出部２５の外側側壁２５ｂ上に、２点鎖線で示してあるように、第３のケースを取り付けるための軸７３を設けるようにすることができる。その際、この軸７３には、接続線収納部３７に通じる貫通孔を設けてもよい。また、軸７３に代えて、軸受け孔４３と同様の軸受け孔を形成してもよい。
【００２０】
【発明の効果】
上記の説明から明らかなとおり、本発明によれば、この情報機器はメインケースの組み立てとサブケースの組み立てと、メインケースとサブケースとの結合を同時に行うことができる。しかも、その際に、制御回路装置と液晶表示素子とを接続線の両端に接続した状態のままで、それぞれをメインケースとサブケース内部に組み込むことができるので、きわめて組み立て作業性に優れている。
【図面の簡単な説明】
【図１】本発明の実施の形態に係る情報機器を示す斜視図である。
【図２】メインケースを示す図で、（イ）は平面図、（ロ）は側面図である。
【図３】メインケースを示す図で、（イ）、（ロ）、（ハ）はそれぞれ図２（イ）におけるＡ−Ａ線、Ｂ−Ｂ線、Ｃ−Ｃ線による断面図である。
【図４】サブケースを示す図で、（イ）は平面図、（ロ）は側面図である。
【図５】サブケースを示す図で、（イ）、（ロ）はそれぞれ図４（イ）におけるＤ−Ｄ線、Ｅ−Ｅ線による断面図である。
【図６】本発明に係る情報機器の組み立て方を示す図である。
【符号の説明】
１  情報処理装置
３  メインケース
１５  メインケース上部
１７  メインケース下部
５  制御回路装置
７  サブケース
１９  サブケース上部
２１  サブケース下部
９  表示素子
１０  接続線
２３  メインケース本体部
２７  メインケース本体部上部
２９  メインケース本体部下部
３１  制御回路装置収納部
２５  メインケース突出部
３３  メインケース突出部上部
３５  メインケース突出部下部
３７  メインケース側接続線収納部
４１  開口
４３  軸受け孔
５１  サブケース本体部
５５  サブケース本体部上部
５７  サブケース本体部下部
５９  表示素子収納部
５３  サブケース突出部
６１  サブケース突出部上部
６３  サブケース突出部下部
６５  サブケース側接続線収納部
６７  開口
６９  軸
７１  貫通孔
【図１】
0003676959.tif 000002
【図２】
0003676959.tif 000003
【図３】
0003676959.tif 000004
【図４】
0003676959.tif 000005
【図５】
0003676959.tif 000006
【図６】
0003676959.tif 000007